(57)【要約】【課題】４周波数帯に対応可能なアンテナインターフェースモジュールを提供する。【解決手段】４周波数帯用アンテナインターフェースモジュールはアンテナポートに接続されるように構成されたダイプレクサと、ダイプレクサに接続されたスイッチングコアと、スイッチングコアに接続され、４つの周波数帯用の送信用および受信用ポートを提供するように構成された複数のフィルタとを含む。少なくとも１つの整合回路網ポートはスイッチングコアと少なくとも複数のフィルタの少なくとも１つとの間に接続され、そこに整合回路網を接続するように構成されている。３つのフィルタと３つの整合回路網ポートが提供される。スイッチ型インピーダンス整合回路網およびまたは個別に補償する２ダイオードスイッチが提供される。【選択図】図４
2007504776.tif 000002
【特許請求の範囲】
【請求項１】
アンテナポートに接続されるように構成されたダイプレクサと、
前記ダイプレクサに接続されたスイッチングコアと、
前記スイッチングコアに接続され、４つの周波数帯用の送信用および受信用ポートを提供するように構成された複数のフィルタと、
前記スイッチングコアと少なくとも前記複数のフィルタの少なくとも１つとの間に接続され、整合回路網を接続する少なくとも１つの整合回路網ポートと、を備えたことを特徴とする４周波数帯用アンテナのインターフェースモジュール。
【請求項２】
前記複数のフィルタは３つのフィルタで構成され、
前記少なくとも１つの整合回路網ポートは３つの整合回路網ポートで構成され、
前記３つの整合回路網ポートのそれぞれは前記スイッチングコアと少なくとも前記複数のフィルタの少なくとも１つとの間に接続され、整合回路網を接続するように構成された、ことを特徴とする請求項１に記載の４周波数帯用アンテナのインターフェースモジュール。
【請求項３】
前記複数のフィルタは複数の送信フィルタおよび受信フィルタで構成され、
前記少なくとも１つの整合回路網ポートは前記スイッチングコアと少なくとも１つの前記受信フィルタとの間に接続される、ことを特徴とする請求項１に記載の４周波数帯用アンテナのインターフェースモジュール。
【請求項４】
前記複数のフィルタは複数の送信フィルタと３つの受信フィルタを含み、前記少なくとも１つの整合回路網ポートは前記スイッチングコアと前記３つの受信フィルタの各１つとの間に接続される、ことを特徴とする請求項２に記載の４周波数帯用アンテナのインターフェースモジュール。
【請求項５】
前記４周波数帯は第１の周波数帯と、部分的に前記第１の周波数帯と重なる第２の周波数帯と、第３の周波数帯と、部分的に前記第３の周波数帯と重なる第４の周波数帯と、を含み、
前記第１の周波数帯と前記第２の周波数帯は前記第３の周波数帯と前記第４の周波数帯と重なることはなく、
前記ダイプレクサは前記第３の周波数帯と前記第４の周波数帯用の第１ダイプレクサフィルタと、前記第１の周波数帯と前記第２の周波数帯用の第２ダイプレクサフィルタと、を含み、
前記スイッチングコアは前記第１ダイプレクサフィルタに接続される第１送信／受信スイッチと、前記第２ダイプレクサフィルタに接続される第２送信／受信スイッチと、を含み、
前記複数のフィルタは前記それぞれの第１乃至第４の周波数帯用の第１乃至第４受信フィルタを含み、
前記第１および第２受信フィルタは前記第２送信／受信スイッチに接続され、前記第３および第４受信フィルタは前記第１送信／受信スイッチに接続され、
前記少なくとも1つの整合回路網ポートは前記第２送信／受信スイッチと前記第１受信フィルタとの間に接続された整合回路網ポートを含む、ことを特徴とする請求項１に記載の４周波数帯用アンテナのインターフェースモジュール。
【請求項６】
前記４周波数帯は第１の周波数帯と、部分的に前記第１の周波数帯と重なる第２の周波数帯と、第３の周波数帯と、部分的に前記第３の周波数帯と重なる第４の周波数帯と、を含み、
前記第１の周波数帯と前記第２の周波数帯は前記第３の周波数帯と前記第４の周波数帯とに重なることはなく、
前記ダイプレクサは前記第３の周波数帯と前記第４の周波数帯用の第１ダイプレクサフィルタと、前記第１の周波数帯と前記第２の周波数帯用の第２ダイプレクサフィルタと、を含み、
前記スイッチングコアは前記第１ダイプレクサフィルタに接続される第１送信／受信スイッチと、前記第２ダイプレクサフィルタに接続される第２送信／受信スイッチと、を含み、
前記複数のフィルタは前記それぞれの第１乃至第４の周波数帯用の第１乃至第４受信フィルタを含み、
前記第１および第２受信フィルタは前記第２の送信／受信スイッチに接続され、
前記第３および第４受信フィルタは前記第１送信／受信スイッチに接続され、
前記少なくとも1つの整合回路網ポートは前記第２送信／受信スイッチと前記第２受信フィルタとの間に接続された整合回路網ポートを含む、ことを特徴とする請求項１に記載の４周波数帯用アンテナのインターフェースモジュール。
【請求項７】
前記４周波数帯は第１の周波数帯と、部分的に前記第１の周波数帯と重なる第２の周波数帯と、第３の周波数帯と、部分的に前記第３の周波数帯と重なる第４の周波数帯と、を含み、
前記第１の周波数帯と前記第２の周波数帯は前記第３の周波数帯と前記第４の周波数帯とに重なることはなく、
前記ダイプレクサは前記第３の周波数帯と前記第４の周波数帯用の第１ダイプレクサフィルタと、前記第１の周波数帯と前記第２の周波数帯用の第２ダイプレクサフィルタと、を含み、
前記スイッチングコアは前記第１ダイプレクサフィルタに接続される第１送信／受信スイッチと、前記第２ダイプレクサフィルタに接続される第２送信／受信スイッチと、を含み、
前記複数のフィルタは前記それぞれの第１乃至第４の周波数帯用の第１乃至第４受信フィルタを含み、
前記第１および第２受信フィルタは前記第２送信／受信スイッチに接続され、
前記第３および第４受信フィルタは前記第１送信／受信スイッチに接続され、
前記少なくとも1つの整合回路網ポートは前記第１送信／受信スイッチと前記第３および第４受信フィルタとの間に接続された整合回路網ポートを含む、ことを特徴とする請求項１に記載の４周波数帯用アンテナのインターフェースモジュール。
【請求項８】
前記４周波数帯は第１の周波数帯と、部分的に前記第１の周波数帯と重なる第２の周波数帯と、第３の周波数帯と、部分的に前記第３の周波数帯と重なる第４の周波数帯と、を含み、
前記第１の周波数帯と前記第２の周波数帯は前記第３の周波数帯と前記第４の周波数帯とに重なることはなく、
前記ダイプレクサは前記第３の周波数帯と前記第４の周波数帯用の第１ダイプレクサフィルタと、前記第１の周波数帯と前記第２の周波数帯用の第２ダイプレクサフィルタと、を含み、
前記スイッチングコアは前記第１ダイプレクサフィルタに接続される第１送信／受信スイッチと、前記第２ダイプレクサフィルタに接続される第２送信／受信スイッチと、を含み、
前記複数のフィルタは前記それぞれの第１乃至第４の周波数帯用の第１乃至第４受信フィルタを含み、
前記第１および第２受信フィルタは前記第２送信／受信スイッチに接続され、
前記第３および第４受信フィルタは前記第１送信／受信スイッチに接続され、
前記少なくとも1つの整合回路網ポートは前記第１送信／受信スイッチと前記第３受信フィルタとの間に接続された整合回路網ポートを含む、ことを特徴とする請求項１に記載の４周波数帯用アンテナのインターフェースモジュール。
【請求項９】
前記４周波数帯は第１の周波数帯と、部分的に前記第１の周波数帯と重なる第２の周波数帯と、第３の周波数帯と、部分的に前記第３の周波数帯と重なる第４の周波数帯と、を含み、
前記第１の周波数帯と前記第２の周波数帯は前記第３の周波数帯と前記第４の周波数帯とに重なることはなく、
前記ダイプレクサは前記第３の周波数帯と前記第４の周波数帯用の第１ダイプレクサフィルタと、前記第１の周波数帯と前記第２の周波数帯用の第２ダイプレクサフィルタと、を含み、
前記スイッチングコアは前記第１ダイプレクサフィルタに接続される第１送信／受信スイッチと、前記第２ダイプレクサフィルタに接続される第２送信／受信スイッチと、を含み、
前記複数のフィルタは前記それぞれの第１乃至第４の周波数帯用の第１乃至第４受信フィルタを含み、
前記第１および第２受信フィルタは前記第２送信／受信スイッチに接続され、
前記第３および第４受信フィルタは前記第１送信／受信スイッチに接続され、
前記少なくとも1つの整合回路網ポートは前記第１送信／受信スイッチと前記第４受信フィルタとの間に接続された整合回路網ポートを含む、ことを特徴とする請求項１に記載の４周波数帯用アンテナのインターフェースモジュール。
【請求項１０】
前記整合回路網ポートは第１整合回路網ポートを含み、
前記４周波数帯用アンテナのインターフェースモジュールは前記第２送信／受信スイッチと前記第１受信フィルタとの間に接続された第２整合回路網ポートと、前記第２送信／受信スイッチと前記第２受信フィルタとの間に接続された第２整合回路網ポートと、をさらに含むことを特徴とする請求項７に記載の４周波数帯用アンテナのインターフェースモジュール。
【請求項１１】
それぞれが前記少なくとも1つの整合回路網ポートに接続される、少なくとも1つの整合回路を、さらに含むことを特徴とする請求項１に記載の４周波数帯用アンテナのインターフェースモジュール。
【請求項１２】
前記第１の周波数帯はGSM８５０周波数帯であり、
前記第２の周波数帯はEGSM９００周波数帯であり、
前記第３の周波数帯はDCS１８００周波数帯であり、
前記第４の周波数帯はPCS１９００周波数帯である、ことを特徴とする請求項７に記載の４周波数帯用アンテナのインターフェースモジュール。
【請求項１３】
前記複数のフィルタは複数の送信フィルタと複数の受信フィルタを含み、
前記少なくとも1つの整合回路網ポートは前記スイッチングコアと前記複数の送信フィルタとの間には接続されない、ことを特徴とする請求項１に記載の４周波数帯用アンテナのインターフェースモジュール。
【請求項１４】
前記３つの整合回路網ポートの各々は整合回路網または短絡回路を含む、ことを特徴とする請求項２に記載の４周波数帯用アンテナのインターフェースモジュール。
【請求項１５】
第２および第３インピーダンス素子と、それらの間に設けられた第１インピーダンス素子を含んで前記アンテナポートに接続されたＰＩ整合回路網と、
マッチングモードにおいて前記第２および第３インピーダンス素子を固定電位に結合し、バイパスモードにおいて前記第１インピーダンス素子を短絡し、前記第２および第３インピーダンス素子のポートを前記固定電位との結合をしないように構成されたバイパススイッチ回路網と、をさらに含むことを特徴とする請求項１に記載の４周波数帯用アンテナのインターフェースモジュール。
【請求項１６】
前記バイパススイッチ回路網は前記第２インピーダンス素子と前記固定電位との間に接続された第２スイッチと、前記第３インピーダンス素子と前記固定電位との間に接続された第３スイッチと、前記第１インピーダンス素子に接続された第１スイッチと、で構成されることを特徴とする請求項１５に記載の４周波数帯用アンテナのインターフェースモジュール。
【請求項１７】
前記スイッチングコアは複数のダイオードスイッチよりなり、
前記ダイオードスイッチの少なくとも１つは信号経路に電気的に並列に接続された１対のダイオードと、前記１対のダイオードと固定電位との間に接続された補償キャパシタと、で構成されることを特徴とする請求項１に記載の４周波数帯用アンテナのインターフェースモジュール。
【請求項１８】
前記補償コンデンサに接続されたバイアス抵抗をさらに含むことを特徴とする請求項１７に記載の４周波数帯用アンテナのインターフェースモジュール。
【請求項１９】
前記ダイプレクサ、前記スイッチングコアおよび前記複数のフィルタは単一の基板上に置かれ、
前記アンテナポート、４周波数帯用の送信および受信ポートおよび前記少なくとも１つの整合回路網ポートは前記基板に外部への入力／出力接続を提供する、ことを特徴とする請求項１に記載の４周波数帯用アンテナのインターフェースモジュール。
【請求項２０】
４周波数帯用無線端末機器を提供する複数の４周波数帯用無線端末機器の構成部品との組み合わせにおける請求項１に記載の４周波数帯用アンテナのインターフェースモジュール。
【請求項２１】
アンテナポートに接続され、分離された送信経路および受信経路を提供する送信／受信スイッチングコアと、
前記スイッチングコアの前記受信経路に接続され、少なくとも１つの周波数帯用の少なくとも１つの受信ポートを提供するように構成された少なくとも１つの受信フィルタと、
前記スイッチングコアの前記受信経路に接続され、整合回路網を接続するように構成された少なくとも１つの整合回路網ポートと、
前記スイッチングコアの前記送信経路に接続され、少なくとも１つの周波数帯用の少なくとも１つの送信ポートを提供するように構成された少なくとも１つの送信フィルタであって、前記送信経路が整合回路網ポートからは開放されている、ことを特徴とするアンテナインターフェースモジュール。
【請求項２２】
前記少なくとも１つの受信フィルタは３つの受信フィルタよりなり、
前記少なくとも１つの整合回路網ポートは３つの整合回路網ポートよりなり、前記３つの整合回路網ポートのそれぞれは前記スイッチングコアと前記３つの受信フィルタのそれぞれとの間に接続されて、そこに整合回路網を接続する、ことを特徴とする請求項２１に記載のアンテナインターフェースモジュール。
【請求項２３】
前記少なくとも１つの周波数帯は第１の周波数帯と、前記第１の周波数帯と部分的に重なる第２の周波数帯と、第３の周波数帯および前記第３の周波数帯と部分的に重なる第４の周波数帯と、を含み、
前記少なくとも１つの受信フィルタは前記それぞれの第１ないし第４周波数帯用の第１ないし第４受信フィルタよりなり、
前記少なくとも１つの整合回路網ポートは前記第３および第４受信フィルタに接続された整合回路網ポートよりなる、ことを特徴とする請求項２１に記載のアンテナインターフェースモジュール。
【請求項２４】
前記整合回路網ポートは第１整合回路網ポートを含み、
前記４周波数帯用のアンテナインターフェースモジュールは前記第２送信／受信スイッチと前記第１受信フィルタとの間に接続された第２整合回路網ポートと、前記第２送信／受信スイッチと前記第２受信フィルタとの間に接続された第３整合回路網ポートと、をさらに備えることを特徴とする請求項２３に記載のアンテナインターフェースモジュール。
【請求項２５】
前記送信／受信スイッチングコア、前記少なくとも１つの受信フィルタおよび前記少なくとも１つの送信フィルタは単一の基板上に置かれ、
前記アンテナポート、前記少なくとも１つの送信ポート、前記少なくとも１つの受信ポートおよび前記少なくとも１つの整合回路網ポートは前記基板に対して外部からの入力／出力接続を提供するように構成される、ことを特徴とする請求項２１に記載のアンテナインターフェースモジュール。
【請求項２６】
線端末機器を提供する複数の無線端末機器の構成部品との組み合わせにおける請求項１に記載のアンテナのインターフェースモジュール。
【請求項２７】
第２および第３インピーダンス素子およびそれらの間の第１インピーダンス素子を含んで前記ＲＦ入力と前記ＲＦ出力との間に接続されたＰＩ整合回路網と、
マッチングモードにおいて前記第２および第３インピーダンス素子を固定電位に結合し、バイパスモードにおいて前記第１インピーダンス素子を短絡し、前記第２および第３インピーダンス素子のポートを前記固定電位との結合をしないように構成されたバイパススイッチ回路網と、を含むことを特徴とするＲＦ入力をＲＦ出力に結合する回路網。
【請求項２８】
前記バイパススイッチ回路網は前記第２インピーダンス素子と前記固定電位との間に接続された第２スイッチと、前記第３インピーダンス素子と前記固定電位との間に接続された第３スイッチと、前記第１インピーダンス素子に接続された第１スイッチと、で構成されたことを特徴とする請求項２７に記載の回路網。
【請求項２９】
前記ＲＦ入力はアンテナに接続され、
前記マッチングモードは放射性能試験に応じて起動され、
前記バイパスモードは導通性能試験に応じて起動される、ことを特徴とする請求項２７に記載の回路網。
【請求項３０】
ＲＦ入力とＲＦ出力との間に電気的に並列に接続された１対のダイオードと、
前記１対のダイオードと固定電位との間に接続された補償コンデンサと、で構成されたことを特徴とするＲＦ入力をＲＦ出力に選択的に接続するＲＦスイッチ。
【請求項３１】
前記補償コンデンサに接続されたバイアス抵抗を、さらに含むことを特徴とする請求項３０に記載のＲＦスイッチ。
【発明の詳細な説明】
【技術分野】
【０００１】
本発明は高周波（ＲＦ）用の送信および受信機器に関し、特に無線機器用のアンテナのインターフェースモジュールに関する。
【背景技術】
【０００２】
無線端末機器は音声及びまたはデータ通信用に広く使用されている。この明細書で使われる用語“無線端末機器”は無線通信システムにアクセスできる様々な携帯型、若しくは固定型の無線機器を含む。無線端末機器は複数行表示が可能なセルラ無線電話、セルラ無線電話とデータ処理、ファクシミリ機能および／またはデータ通信機能が組み合わされたパーソナルコミュニケーションシステム（ＰＣＳ：Personal Communication System）端末機器、無線電話、ページャ、インターネット（Internet）／イントラネット（Intranet）アクセス、ウェブ（Web）ブラウザ、手帳（Organizer）、カレンダおよび／またはグローバルポジショニングシステム（ＧＰＳ：Global Positioning System）を搭載可能な携帯情報端末（ＰＤＡ：Personal Digital Assistant）、および無線受信機器を含む一般的なラップトップ、パームトップおよび／または広く普及しているコンピュータ機器を含む。
【０００３】
無線端末機器は、たとえばＰＣＳとＧＳＭ機能のように複数の周波数帯で送信や受信できるのが好ましい。さらには、４つのＲＦ周波数帯で動作する無線端末機器が望まれている。たとえば、米国で使用されているＧＳＭ８５０周波数帯（以下、ＧＳＭとする）、欧州で使用されているＥＧＳＭ９００周波数帯（以下、ＥＧＳＭとする）、欧州で使用されているＤＣＳ１８００周波数帯（以下、ＤＣＳとする）および、米国で使用されているＰＣＳ１９００周波数帯（以下、ＰＣＳとする）で動作する無線端末機器が望まれている。これらの周波数帯の送信（ＴＸ）および受信（ＲＸ）周波数を表１に示す。
【０００４】
【表１】
2007504776.tif 000003
【０００５】
４周波数帯用アンテナのインターフェースモジュールはアンテナポートと４つの周波数帯の送信および受信ポートとの間をインターフェースするために使用される。
【発明の開示】
【発明が解決しようとする課題】
【０００６】
残念ながら低価格で満足できるＲＦ特性を提供する４周波数帯用アンテナのインターフェースモジュールの設計は難しい。特に４周波数帯用アンテナのインターフェースモジュールにおいて、満足できる電圧定在波比（以下、ＶＳＷＲ：Voltage Standing Wave Ratio）およびまたは満足できるポート間絶縁を得るのが難しい。
【０００７】
当業者にはよく知られているように、ＶＳＷＲはエネルギー信号源と負荷との間のポート不整合損失を測定するのに使用される。ＶＳＷＲと信号源―負荷の不整合との間の関係は、一般的に次式で与えられる。
【０００８】
【数１】
2007504776.tif 000004
【０００９】
したがって、２：１ＶＳＷＲは０．５dＢの損失となる。３：１ＶＳＷＲは１．２５dＢの損失となる。さらに、４：１ＶＳＷＲは１．９３dＢの損失となる。この余分に挿入される損失は無線端末機器の総合RF性能に直接影響を与える。その他の無線端末機器の性能は一定なので、満足できる無線端末機器の性能を得るにはポート不整合損失を現象させるあるいは最小にすることが好ましい。
【００１０】
さらに、無線端末機器はますます内部アンテナ構造を使用する傾向にある。外部アンテナ構造と比較すると、内部アンテナ構造は高周波（ＲＦ）回路により広いＶＳＷＲ領域を提供する。したがって、内部アンテナ構造の使用は４周波数帯にわたる不整合損失を減少あるいは最小にするのをより困難にしている。
【００１１】
上記したように、また、好ましい送信ポート―受信ポートの絶縁分離も困難となる。特に、無線端末機器回路への送信エネルギーの帰還は電圧制御型発振回路の周波数引き込みに影響を与え、送信モード周波数エラーの原因となる。
【００１２】
残念ながら、周波数帯の重なりにより、上述した４つの周波数帯において満足できる送信―受信（ＴＸ−ＲＸ）の絶縁分離を得ることは難しい。
【００１３】
図１は、特に表１の４周波数帯の周波数における周波数の重なりをグラフ図として描いたものである。矢印１１９、１２０および１３０はＥＧＳＭ送信周波数帯とＧＳＭ受信周波数帯との間の、２倍のＥＧＳＭ送信周波数帯とＤＣＳ１８００受信周波数帯との間の、およびＰＣＳ送信周波数帯とＤＣＳ受信周波数帯との間の周波数帯の重なり領域を表す。これらの重なり領域は最悪の場合の減衰の必要性を決定する。矢印１３０で示す重なり領域は一番厳しい絶縁分離が必要なことを表している。送信変調エラーを減少または最小にするためには、３５dＢまたはそれ以上のＰＣＳ送信からＤＣＳ受信への絶縁分離が好ましい。
【００１４】
４周波数帯用アンテナのインターフェースモジュールはすでに提案されている。たとえば、図２にＬＭＳＰ−００３２ＴＥＭＰの型名でＭｕｒａｔａによって商品化されている４周波数帯用アンテナのインターフェースモジュールを示し、これは、“Switchplexer（ＴＭ）forQuad Band Tentative Part Number LMSP-0032TEMP (2002)”と題され、最終仕様書 No. SP−LMZ−８８に解説されている。２００３年には集積回路化された表面弾性波（ＳＡＷ：Surface Acoustic Wave）フィルタがこのモジュールに利用できる。
【００１５】
図３にGN040xxNの型名でＰａｎａｓｏｎｉｃによって商品化されている４周波数帯用アンテナのインターフェースを示し、これは、GN040xxN:SP6T GaAs Antenna Switch Module, 9 January 2002と題された予備仕様書で解説されている。CXGSP6TMの型名でＳｏｎｙによって商品化されている４周波数帯用アンテナのインターフェースモジュールは同様な構造を有する。これらのモジュールは共に２００３年のＲＸ  ＳＡＷフィルタを集積化する。
【００１６】
残念ながら、上記の４周波数帯用アンテナのインターフェースモジュールはそのスイッチングコアと受信機ＳＡＷフィルタとの間の満足できるインピーダンス整合が得られず、最悪で受信機感度の低下を招き、およびまたは音声の劣化を招く。さらに、ＤＣＳ／ＰＣＳ送信ポートからＤＣＳ受信ポートへの絶縁分離は不十分であり、それは送信モードピーク位相エラーおよびまたは送信リンク変調歪となる。送信周波数の２倍の周波数におけるＥＤＳＭ  ＴＸ ポートから ＤＣＳ  ＲＸ ポートへの絶縁分離もまた不十分であり、ＴＸモードピーク位相誤差およびまたは ＴＸリンク変調歪に変換される。最後に、送信周波数の２倍の周波数におけるＥＧＳＭ  ＴＸポートからＧＳＭ８５０  ＲＸポートへの絶縁分離は不十分であり、ＴＸモードピーク位相誤差およびまたはＴＸリンク変調歪に変換される。
【課題を解決するための手段】
【００１７】
本発明のある実施例における４周波数帯用アンテナのインターフェースモジュールはアンテナポートに接続されるように構成されたダイプレクサと、前記ダイプレクサに接続されたスイッチングコアと、前記スイッチングコアに接続されて４つの周波数帯用の送信用および受信用ポートを提供するように構成された複数のフィルタとを含む。少なくとも１つの整合回路網ポートは、前記スイッチングコアと前記複数のフィルタの少なくとも１つとの間に接続されて整合回路網を接続するように構成されている。
【００１８】
本発明のある実施例においては、前記複数のフィルタは３つのフィルタで構成され、前記少なくとも１つの整合回路網ポートは３つの整合回路網ポートで構成され、前記３つの整合回路網ポートのそれぞれは、前記スイッチングコアと少なくとも前記複数のフィルタの少なくとも１つとの間に接続されて整合回路網を接続するように構成されている。
【００１９】
本発明のある実施例においては、前記複数のフィルタは複数の送信フィルタおよび受信フィルタで構成され、前記少なくとも１つの整合回路網ポートは前記スイッチングコアと少なくとも１つの前記受信フィルタとの間に接続されている。
【００２０】
本発明のある実施例においては、整合回路網ポートが前記スイッチングコアと前記複数の送信フィルタとの間には含まれない。
【００２１】
本発明の他の実施例においては、４周波数帯はＧＳＭ８５０周波数帯のような第１の周波数帯と、ＥＧＳＭ９００周波数帯のような少なくとも部分的に第１の周波数帯と重なる第２の周波数帯と、ＤＣＳ１８００のような第３の周波数帯、およびＰＣＳ１９００のような少なくとも部分的に第３の周波数帯と重なる第４の周波数帯とよりなる。第１および第２の周波数帯は第３および第４の周波数帯とは重ならない。ダイプレクサは第３および第４の周波数帯用の第１ダイプレクサフィルタ、および第１および第２の周波数帯用の第２ダイプレクサフィルタよりなる。スイッチングコアは第１ダイプレクサフィルタに接続された第１送信／受信スイッチ、および第２ダイプレクサフィルタに接続された第２送信／受信スイッチよりなる。複数のフィルタはそれぞれ第１乃至第４周波数帯用の第１乃至第４受信フィルタよりなり、第１および第２の受信フィルタは第２送信／受信スイッチに接続され、第３および第４の受信フィルタは第１送信／受信スイッチに接続される。
【００２２】
本発明の実施例においては、少なくとも１つの整合回路網ポートは第２送信／受信スイッチと第１受信フィルタとの間に接続された整合回路網ポートよりなる。本発明の他の実施例においては、少なくとも１つの整合回路網ポートは第２送信／受信スイッチと第２受信フィルタとの間に接続された整合回路網ポートよりなる。さらに他の実施例においては、少なくとも１つの整合回路網ポートは第１送信／受信スイッチと第３および第４受信フィルタとの間に接続された整合回路網ポートよりなる。さらに他の実施例においては、少なくとも１つの整合回路網ポートは第１送信／受信スイッチと第３受信フィルタとの間に接続された整合回路網ポートよりなる。さらに他の実施例においては、少なくとも１つの整合回路網ポートは第１送信／受信スイッチと第４受信フィルタとの間に接続された整合回路網ポートよりなる。これら整合回路網ポート構成のコンビネーションやサブコンビネーションは本発明の実施例に従って提供される。
【００２３】
本発明の他の実施例は、アンテナとアンテナポートとの間にスイッチ型インピーダンス整合回路網を提供する。スイッチ型インピーダンス整合回路網はアンテナポートに接続されたＰＩ整合回路網を含む。ＰＩ整合回路網は第２および第３インピーダンス素子とその間の第１インピーダンス素子を含む。バイパススイッチ回路網は、マッチングモードにおいて第２および第３インピーダンス素子を接地のような固定電位に結合し、バイパスモードにおいて前記第１インピーダンス素子を短絡し、前記第２および第３インピーダンス素子のポートを前記固定電位との結合をしないように構成される。バイパススイッチ回路網は第２インピーダンス素子と接地のような固定電位との間に接続された第２スイッチと、第３インピーダンス素子と接地との間に接続された第３スイッチと、第１インピーダンス素子に接続された第１スイッチとよりなる。当然のことながら、本発明のこれら実施例におけるスイッチ型整合回路網は真のバイパススイッチ型整合を保ちながらＲＦ入力をＲＦ出力に結合する他のＲＦへの応用に使うことも出来る。
【００２４】
本発明のさらに他の実施例においては、スイッチングコアは複数のダイオードスイッチよりなる。少なくとも１つのダイオードスイッチは個別に補償する２ダイオード回路網よりなる。この実施例においては、個別に補償する２ダイオード回路網は信号経路に対して電気的に並列に接続された１対のダイオードと、１対のダイオード接地のような固定電位との間に接続された補償コンデンサよりなる。他の実施例においては、抵抗が補償コンデンサに接続される。当然のことながら、個別に補償する２ダイオード回路網はＲＦ入力とＲＦ出力との間のスイッチとして他のＲＦへの応用に使うことも出来る。最後に、当然のことながら、ここで説明された本発明のいずれの実施例も無線端末機器回路部品と組み合わされて無線端末機器を提供することが出来る。
【発明の効果】
【００２５】
本発明によれば、低価格で性能の高い４周波数帯に使用可能なアンテナのインターフェースモジュールを提供することが可能となった。
【発明を実施するための最良の形態】
【００２６】
以下、本発明に実施例が開示されている添付した図面を参照して本発明を詳細に説明する。しかしながら、本発明は多くの異なる形態で実施することが出来、ここに示された実施例に限定されるものではない。むしろ、これらの実施例は完全で完成されたもとして提供されており、当業者に十分満足できる発明の範囲を伝えるものである。実施例を通じて、同じ番号は同じ回路要素に対応する。
【００２７】
当然のことながら、素子が他の素子に“接続”または“結合”とされるときは、他の素子に直接接続または結合される、または他の素子が間に挟まれることである。対照的に、素子が他の素子に“直接に接続”または“直接に結合”とされるときは、他の素子が間に挟まれることはない。
【００２８】
図４は本発明の実施例の１つの４周波数帯用アンテナのインターフェースモジュールのブロック図を示す。図４に示すように、これら４周波数帯用アンテナのインターフェースモジュール４００は、アンテナポートに接続するように構成されたダイプレクサ４２０（これはまたスプリッタまたはマルチプレクサとして参照される）を含む。スイッチングコア４３０が前記ダイプレクサに接続される。複数のフィルタ４４０がスイッチングコア４３０に接続され、４つの周波数帯用の送信および受信ポート４６０を提供するように構成される。少なくとも１つの整合回路網ポート４７０が前記スイッチングコア４３０と前記複数のフィルタ４４０の少なくとも１つとの間に接続されている。前記整合回路網ポート４７０はそこに整合回路網を接続するように構成される。
【００２９】
他の実施例では、ダイプレクサ４２０、スイッチングコア４３０およびフィルタ４４０は単一の基板上に位置するもので、アンテナポート４５０、４周波数帯用送信／受信ポート４６０および整合回路網ポート４７０は基板に外部入力／出力接続を提供するように構成される。
【００３０】
図４に示すように、本発明の他の実施例によれば、少なくとも１つの整合回路網ポート４７０はスイッチングコア４３０とフィルタ４４０の少なくとも１つとの間に設けられる。他の実施例においては、フィルタ４４０は複数の送信フィルタと複数の受信フィルタより構成され、前記少なくとも１つの整合ポート４７０は、スイッチングコア４３０と複数の受信フィルタの少なくとも１つとの間に置かれる。他の実施例においては、整合回路網ポートは、スイッチングコアと複数の送信フィルタのいずれとの間にも設けられない。したがって、本発明のある実施例においては、整合回路網は送信経路の同調に影響を与える必要はない。
【００３１】
さらに、フィルタ４４０はアンテナ整合モジュール４００で一番高いＱ（一番狭い帯域幅）素子であるＳＡＷ素子として実装される。素子が正しく終端されないときには、ＳＡＷフィルタ挿入損失およびリップル性能が劣化する。多くの場合、無線端末機器の設計では、５０Ωのシステムインピーダンスに基づいている。したがって、無線端末機器に接続されるインターフェースはこの要求を満たさなければならない。残念ながら、内部アンテナ技術では、動作する８つの周波数帯に渡って標準の５０Ωのシステムインピーダンスを提供することが出来ない。しかしながら、本発明の他の実施例における整合回路網ポートはＳＡＷフィルタに適正に整合する。もし、整合が必要ないならば、選択された整合回路網ポートに５０Ωジャンパー線（短絡線）が装着される。
【００３２】
図５は本発明の他の実施例を示し、３つに別れた整合回路網ポートが提供される。これらの実施例において、４周波数帯は第１の周波数帯と、部分的に前記第１の周波数帯と重なる第２の周波数帯と、第３の周波数帯と、部分的に前記第３の周波数帯と重なる第４の周波数帯と、を含む。
【００３３】
前記第１の周波数帯と前記第２の周波数帯は前記第３の周波数帯と前記第４の周波数帯と重なることはない。第１の周波数帯と部分的に重なる第２の周波数帯はまとめて“低周波数帯”と呼び、第３の周波数帯と部分的に重なる第４の周波数帯はまとめて“高周波数帯”と呼ぶ。
【００３４】
図５に示すように、ダイプレクサは高周波数帯用の第１ダイプレクサフィルタ５２０ａと低周波数帯用の第２ダイプレクサフィルタ５２０ａとで構成される。さらに、スイッチングコアは第１ダイプレクサフィルタ５２０ａに接続された第１送信／受信（Ｔ／Ｒ）スイッチ５３０ａと、第２ダイプレクサフィルタ５２０ｂに接続された第２送信／受信（Ｔ／Ｒ）スイッチ５３０ｂとで構成される。最後に、複数のフィルタは第１ないし第４の周波数帯用のそれぞれの第１ないし第４受信フィルタ５４０ａ〜５４０ｄよりなり、第１および第２受信フィルタ５４０ａおよび５４０ｂは、第２送信／受信（Ｔ／Ｒ）スイッチ５３０ｂに接続され、第３および第４受信フィルタ５４０ｃおよび５４０ｄは、第１送信／受信（Ｔ／Ｒ）スイッチ５３０ａに接続される。
【００３５】
更に、図５の説明を続けると、１、２、または３つの整合回路網ポート５７０ａ〜５７０ｃが提供される。第１整合回路網ポート５７０ａはまた、ＲＸ  ＬＯＷ１整合回路網ポートと称され、第２送信／受信（Ｔ／Ｒ）スイッチ５３０ｂと第１受信フィルタ５４０ａとの間に接続される。第２整合回路網ポート５７０ｂはまた、ＲＸ  ＬＯＷ２整合回路網ポートと称され、第２送信／受信（Ｔ／Ｒ）スイッチ５３０ｂと第２受信フィルタ５４０ｂとの間に接続される。第３整合回路網ポート５７０ｃはまた、ＲＸ  ＨＩＧＨ整合回路網ポートと称され、第１送信／受信（Ｔ／Ｒ）スイッチ５３０ａと第３および第４受信フィルタ５４０ｃおよび５４０ｄとの間に接続される。上述するように、ＲＸ  ＬＯＷ１整合回路網ポート５７０ａ、ＲＸ  ＬＯＷ２整合回路網ポート５７０ｂおよびＲＸ  ＨＩＧＨ整合回路網ポート５７０ｃは、本発明の他の実施例に提供される。最後に、図で示されるように、ダイプレクサ、スイッチングコアおよびフィルタは全て単一の基板５１０上に含まれている。
【００３６】
図５の実施例は、アンテナポート５５５に接続され、分離された送信経路５３２および受信経路５３４を提供する送信／受信スイッチングコア５３０ａ、５３０ｂを含むようにされている。少なくとも１つの受信フィルタ５４０ａ〜５４０ｄが受信経路５３４に接続され、少なくとも１つの周波数帯の少なくとも１つの受信ポート５６０ａ〜５６０ｂを提供するように構成される。少なくとも１つの整合回路網ポート５７０ａ〜５７０ｃが、スイッチングコアの受信経路５３４と受信フィルタ５４０ａ〜５４０ｄ少なくとも１つとの間に接続され、そこに整合回路網を接続するように構成される。最後に、少なくとも１つの送信フィルタ５４２ａ、５４２ｂがスイッチングコアの送信経路５３２に接続され、少なくとも１つの周波数帯の少なくとも１つの送信ポート５６２ａ、５６２ｂを提供するように構成される。アンテナインターフェースモジュール５００は、送信経路５３２と送信フィルタ５４２ａ〜５４２ｂとの間の整合回路網ポートからは自由な状態となっている。
【００３７】
図６および図７は本発明の他の実施例のアンテナのインターフェースモジュールのブロック図であり、上記の表１で説明した４つの周波数帯で使用される。図６および図７においては、高周波数帯（ＤＣＳ１８００およびＰＣＳ１９００）はＨＢとして示され、低周波数帯（ＧＳＭ８５０およびＥＧＳＭ９００）はＬＢとして示されている。図６および図７において、ＧＳＭ８５０およびＥＧＳＭ９００が組み合わされた受信ポート６６０ａが設けられている点を除き、６００番台および７００番台の参照番号はそれぞれ図５における５００番台の参照番号に対応する。制御ポート６８０、７８０もまた、それぞれスイッチングコア６３０ａ、６３０ｂおよび７３０ａ、７３０ｂを制御するように示されている。ＥＧＳＭ、ＧＳＭおよびＰＣＳ／ＤＣＳ用の整合回路網６９０ａ〜６９０ｃおよび７９０ａ〜７９０ｃのそれぞれは、整合回路網ポート６７０ａ〜６７０ｃおよび７７０ａ〜７７０ｃのそれぞれに接続されるように示されている。もし、必要ないのであれば、１つまたは１つ以上の整合回路網ポートに短絡回路が接続される。
【００３８】
ＧＳＭに応用される一般的なスイッチング技術はＰＩＮ（P-Intrinsic-N）ダイオードを基本とする。これらの素子はポートインピーダンスの不整合状態であっても優れた直線性を示す。残念なことに、しかしながらＰＩＮダイオードは略６mAから略１０mAのバイアス電流を必要とし、これはトランジスタを基本としたスイッチングより大きい。本発明の実施例においては、図６および図７において１実施例として説明されるように、ＤＣＳ／ＰＣＳフィルタダイプレクシングのおかげで、ＰＣＳ−ＲＸモードにおいてはＤＣバイアス電流を必要としない。したがって、待機時間でのより良い性能を得ることが可能となる。
【００３９】
本発明の他の実施例における真のバイパススイッチされたインピーダンス整合回路網を説明する。特に、無線端末機器は導通性能試験と放射性能試験の両方とも合格する必要はない。導通性能試験は５０Ω試験システムを無線端末機器に接続して実施され、一方、導通性能試験は無線端末機器アンテナを介して測定される。もし、インピーダンスが５０Ωではないことにより無線端末機器アンテナＶＳＷＲが高ければ、上述したように、アンテナは整合回路網から利益を受ける。残念ながら、無線端末機器インピーダンスをアンテナインピーダンスに整合させることは、導通性能を劣化させる。したがって、アンテナとアンテナインターフェースモジュールとの間にスイッチ型インピーダンス整合回路網を設けるのが好ましい。
【００４０】
従来のスイッチ型インピーダンス整合回路網を図８に示す。図８に示すように、このスイッチ型インピーダンス整合回路網はアンテナとアンテナのインターフェースモジュールとの間に設けられ、スイッチ型の回路を用いて制御されて切り替えられる直通回路と整合した回路を提供する。残念ながら、図８のスイッチ型整合回路網はコストがかかるうえ、希望するよりも損失が大きい。
【００４１】
図９は本発明の実施例の１つのスイッチ型インピーダンス整合回路網のブロック図を示し、真のバイパスを提供することが出来る。図９に示されるように、ある実施例においては、これらのスイッチ型インピーダンス整合回路網９００は、アンテナと図４〜７のそれぞれにおけるアンテナポート４５０、５５０、６５０、または７５０との間であって、これらの図における基板４１０、５１０、６１０、または７１０から分離された基板上に配置される。他の実施例においては、これらのスイッチ型インピーダンス整合回路網９００は、図４〜７のそれぞれにおける基板４１０、５１０、６１０、または７１０の上であって、それぞれのアンテナポート４５０、５５０、６５０、または７５０とそれぞれの図面におけるダイプレクサ４２０、５２０、６２０または７２０との間に配置される。
【００４２】
図９に示すように、スイッチ型インピーダンス整合回路網９００はアンテナとアンテナポートとの間に接続可能なＰＩ整合回路網を含む。ＰＩ整合回路は第２および第３インピーダンス素子９１０ｂ、９１０ｃと、それらの間の第１インピーダンス素子９１０ａを含む。バイパススイッチ型回路網はマッチングモードにおいて第２および第３インピーダンス素子９１０ｂ、９１０ｃを接地等の固定電位に結合すると共に第１インピーダンス素子９１０ａを短絡し、バイパスモードにおいて、第２および第３インピーダンス素子９１０ｂ、９１０ｃと接地等の固定電位との結合を解除するように構成される。ある実施例においては、バイパススイッチ型回路網は第２インピーダンス素子９１０ｂと接地等の固定電位との間に接続されたスイッチ９２０ｂ、第３インピーダンス素子９１０ｃと接地等の固定電位との間に接続された第３スイッチ９２０ｃおよび第１インピーダンス素子９１０ａに接続された第１スイッチ９２０ａよりなる。
【００４３】
図９の実施例についてさらに説明する。第１のスイッチ９２０ａはバイパスモードにおける真の経路のスイッチである。インピーダンス素子９１０ａ〜９１０ｃはＰＩインピーダンス整合回路網を構成する。バイパスモードは第１のスイッチ９２０ａが閉じ、スイッチ９２０ｂと９２０ｃが開く時に活性化される。第１のスイッチがインピーダンス素子９１０ａを短絡し、インピーダンス素子９１０ａ、９１０ｃは接地から浮かされる。このモードではＰＩ回路網インピーダンス素子９１０ａ〜９１０ｃは機能しない。マッチングモードは第１のスイッチ９２０ａが開き、スイッチ９２０ｂと９２０ｃが閉じる時に活性化される。このモードでは、回路はＰＩインピーダンス変換回路網として機能する。
【００４４】
本発明の１実施例における真のバイパスにスイッチ型整合回路網の挿入損失は、ただ１つのスイッチ９２０ａがＲＦ信号経路にあればよいので、図８の示す従来のスイッチより少なく出来る。さらに、機能モジュールに図９の実施例を統合するには、ただ第１のスイッチ９２０ａが真のＲＦスイッチであればよいので、より少ないスペースしか必要とされない。スイッチ９２０ｂと９２０ｃは信号経路の外側にあり、良好なＲＦ接地を与えればよい。
【００４５】
図１０は図９に示すスイッチ型整合回路網の実施例の回路図を示す。トランジスタＱ１、Ｑ２およびＱ３は第１ないし第３のスイッチ９２０ａ〜９２０ｃとして機能する。ゲートーソース間電圧Ｖgsが直流の０Ｖであるとき、オフ状態（高ドレインーソース抵抗―Ｒds）となる。正のＶgsが印加されている間は、オン状態（低Ｒds）となる。ある実施例においては、トランジスタＱ１、Ｑ２およびＱ３は好ましくはNチャンネルのエンハンスメントモード素子である。図１０において、経路１（Path１）は真のバイパスモードにおけるＲＦ信号の流れを示す。経路２（Path２）はマッチングモードにおけるＲＦ信号の流れを示す。図１０の回路の真理値表は表２に示される。トランジスタＱ１、Ｑ２およびＱ３のＶgsはモードの関数として示される。
【００４６】
【表２】
2007504776.tif 000005
【００４７】
当然のことながら、本発明の実施例における実際のバイパススイッチ型整合回路は他への応用としてＲＦ入力とＲＦ出力を結合する整合回路として使用される。これらの実施例は、上記で説明したように、ＲＦ入力とＲＦ出力との間でバイパスおよびマッチングモードを提供する。
【００４８】
本発明の実施例における２短絡ダイオードを採用したスイッチングコアを説明する。上記で説明するように、無線端末機器は、図１で説明したような周波数帯の重なりに起因するＴＸ−ＲＸ間ポート絶縁分離が不十分であるときに、これは、ＴＸ−ＲＸ絶縁分離を提供するのに好ましい。図１の矢印１３０で示されるＰＣＳ  ＴＸとＤＣＳ  ＲＸの絶縁分離の場合には、短絡回路素子が用いられ、信号を接地に短絡することにより、希望する絶縁分離性能を発成させている。
【００４９】
５０Ωシステムでは、式２が絶縁分離を接地への抵抗値の関数として定義する。
【００５０】
【数２】
2007504776.tif 000006
【００５１】
式２の結果は表３に示す。
【００５２】
【表３】
2007504776.tif 000007
【００５３】
したがって、３５dＢの絶縁分離には短絡抵抗の抵抗値が低いことが必要である。残念ながら、従来のＰＩＮダイオードは表４に示すような抵抗値対ＤＣバイアス電流特性を示す。
【００５４】
【表４】
2007504776.tif 000008
【００５５】
上記のデータによれば、従来のＰＩＮダイオードが望ましい３５dＢの絶縁分離性能を達成する、およびまたはそのために必要以上の電流を消費するとはいえない。
【００５６】
本発明の実施例における２ダイオード短絡回路網はこれらの問題を解決出来る。これらの回路網は図４〜７のそれぞれのスイッチングコア４３０、５３０、６３０または７３０に使われる。これらの２ＰＩＮダイオード短絡回路網は、従来のＰＩＮダイオードスイッチが使われ、より改善された絶縁分離性能が求められる選択的にＲＦ入力をＲＦ出力に接続する他の応用例にも使われる。
【００５７】
図１１は本発明の実施例の１つの２ダイオード型スイッチのブロック図を示す。図１１に示すように、２ダイオード型スイッチ１１００はＲＦ入力１１２０ａとＲＦ出力１１２０ｂとの間の信号経路に並列に電気的に接続される、ＰＩＮダイオード１１１０ａおよび１１１０ｂのような一対のダイオードを含む。これにより、単一のダイオードと比較して、抵抗値を半分に減らすことが可能となる。補償コンデンサ１１３０は、一対のダイオード１１１０ａおよび１１１０ｂと接地のような固定電位との間に接続される。また、バイアス抵抗が補償コンデンサ１１３０に接続される。高インピーダンス（Ｈｉ−Ｚ）給電１１５０がダイオード１１１０ａおよび１１１０ｂをオン、オフするようにさらに提供される。上記したように、本発明の他の実施例においては、図１１に示す実施例が図４〜７におけるスイッチングコアに使われる。ＰＣＸ  ＴＸおよびＤＣＸ  ＲＸ周波数帯は、１８５０ＭＨｚ〜１８８０ＭＨｚの周波数領域（図１の矢印１３０で示される）で重なるので、回路網は１８６５ＭＨｚの共振周波数に同調される。本発明の他の実施例においては、Ｒbias回路部品の抵抗値は具体的な計算で縛られ、Ｃcomp回路部品の容量値は、並列接続されたＰＩＮダイオードペア１１１０ａ、１１１０ｂの等価インダクタンスから引き出される。ＰＩＮダイオード１１１０ａ、１１１０ｂの1つのＯＮ状態インピーダンスは式３で定義される。
【００５８】
【数３】
2007504776.tif 000009
【００５９】
ここで、
Ｎ＝並列接続されたＰＩＮダイオードの数
ＲPIN-DIODE＝望ましい直流電流値で順方向バイアスされたときのＰＩＮダイオードの抵抗値（オーム）
ＬPIN-DIODE＝望ましい直流電流値で順方向バイアスされたときのＰＩＮダイオードのインダクタンス値（ヘンリー）
Ｆ＝望ましい同調周波数（ヘルツ）
ＰＩＮダイオード１１１０ａおよび１１１０ｂを並列に接続することにより、前記抵抗値が減少し、したがって絶縁分離の性能を向上させることが出来る。しかし、ＲBias と ＣCompは可能な限り低い短絡抵抗値となるように設計される必要がある。式４は補償コンデンサ値の計算式を示す。
【００６０】
【数４】
2007504776.tif 000010
【００６１】
式５はバイアス抵抗値の計算式を示す。
【００６２】
【数５】
2007504776.tif 000011
【００６３】
補償コンデンサ値ＣCompは共振周波数の設定に使うことが出来、バイアス抵抗値ＲBiasは最大直流電流値を制限する最終短絡抵抗値の設定に使うことが出来る。価格的に効率のよい３５dＢ絶縁分離の設計は図１１の接続形態を採用し、式２〜５を利用して達成可能である。さらにまた、図１１の実施例が４周波数帯用アンテナのインターフェースモジュールのスイッチングコア以外の応用例として、ＲＦ入力とＲＦ出力の間のスイッチングに提供されることが容易に理解されるであろう。最後に、当然のことながら、この明細書で述べた本発明のいずれの実施例も複数の無線端末機器構成部品と組み合わされて無線端末機器を提供することが容易に理解されるであろう。
【００６４】
添付の図面および明細書は本発明の実施例を示し、具体的な用語を用いたが、それらは一般的なものとして説明のために用いられたものであって、発明の限定のためのものではなく、本発明の特許請求の範囲は添付する請求項で示される。
【図面の簡単な説明】
【００６５】
【図１】４つの共通無線通信送信および受信周波数帯を描いた周波数スペクトルを示す。
【図２】従来の４周波数帯用アンテナのインターフェースモジュールのブロック図を示す。
【図３】同じく、従来の４周波数帯用アンテナのインターフェースモジュールのブロック図を示す。
【図４】本発明の実施例における整合回路網ポートを有する４周波数帯用アンテナのインターフェースモジュールのブロック図を示す。
【図５】本発明の他の実施例における整合回路網ポートを有する４周波数帯用アンテナのインターフェースモジュールのブロック図を示す。
【図６】本発明のさらに他の実施例における整合回路網ポートを有する４周波数帯用アンテナのインターフェースモジュールのブロック図を示す。
【図７】本発明のさらに他の実施例における整合回路網ポートを有する４周波数帯用アンテナのインターフェースモジュールのブロック図を示す。
【図８】従来のスイッチ型インピーダンス整合回路網のブロック図を示す。
【図９】本発明の実施例におけるスイッチ型インピーダンス整合回路網のブロック図を示す。
【図１０】本発明の実施例におけるスイッチ型インピーダンス整合回路網の回路図を示す。
【図１１】本発明の実施例における２ダイオード短絡回路の回路図を示す。
【図１】
2007504776.tif 000012
【図２】
2007504776.tif 000013
【図３】
2007504776.tif 000014
【図４】
2007504776.tif 000015
【図５】
2007504776.tif 000016
【図６】
2007504776.tif 000017
【図７】
2007504776.tif 000018
【図８】
2007504776.tif 000019
【図９】
2007504776.tif 000020
【図１０】
2007504776.tif 000021
【図１１】
2007504776.tif 000022
【国際調査報告】
2007504776.tif 000023
2007504776.tif 000024
2007504776.tif 000025
2007504776.tif 000026
2007504776.tif 000027